(57)【要約】【課題】  本発明は、電子書籍装置のページ送りに関するものである。【解決手段】  本発明の電子書籍装置は、書籍データを記憶する記憶部と、書籍データを表示する画面領域を予め定めた所定数の部分領域に分割する画面領域分割手段と、記憶部から書籍データの１ページ分を画面領域に読み出し、部分領域から意味を持つ最小単位の語句を部分領域毎に抽出する語句抽出手段と、抽出されたそれぞれの語句の部分領域内における出現頻度に基づいて、語句の重みを算出する語句重み算出手段と、部分領域で抽出された語句の重みに基づいて、部分領域の重要度を算出する重要度算出手段と、最も高い重要度の部分領域を１ページを表示する表示領域に決定する表示領域決定手段と、表示領域の書籍データを表示する表示手段とを備える、よう構成する。【選択図】    図２
2012042528.tif 000002
【特許請求の範囲】
【請求項１】
書籍データを記憶する記憶部と、
前記書籍データを表示する画面領域を、予め定めた所定数の部分領域に分割する画面領域分割手段と、
前記記憶部から書籍データの１ページ分を前記画面領域に読み出し、前記部分領域から意味を持つ最小単位の語句を該部分領域毎に抽出する語句抽出手段と、
抽出されたそれぞれの前記語句の前記部分領域内における出現頻度に基づいて、該語句の重みを算出する語句重み算出手段と、
前記部分領域で抽出された前記語句の重みに基づいて、該部分領域の重要度を算出する重要度算出手段と、
最も高い重要度の前記部分領域を、前記１ページを表示する表示領域に決定する表示領域決定手段と、
前記表示領域の書籍データを表示する表示手段と
を備えることを特徴とする電子書籍装置。
【請求項２】
前記電子書籍装置は、さらに
入力されたページ送り速度を受け付けるページ送り速度受付手段と、
前記表示領域決定手段は、前記ページ送り速度と前記重要度とに基づいて、一つ以上の前記部分領域を前記表示領域に決定する
ことを特徴とする請求項１に記載の電子書籍装置。
【請求項３】
前記語句抽出手段は、語句の抽出において該語句の文字サイズを予測し、
重要度算出手段は、前記語句の出現頻度と前記文字サイズとに基づいて重要度を算出する
ことを特徴とする請求項１または請求項２に記載の電子書籍装置。
【請求項４】
前記表示手段は、前記表示領域の重みの大きい語句から所定数の該語句を取り出し、該重みの大きい語句の順に並べて表示する
ことを特徴とする請求項１乃至請求項３に記載の電子書籍装置。
【請求項５】
前記表示手段は、複数ページの前記表示領域に配置される書籍データを同時に表示する
ことを特徴とする請求項１乃至請求項３に記載の電子書籍装置。
【請求項６】
コンピュータが、
書籍データを表示する画面領域を、予め定めた所定数の部分領域に分割する画面領域分割手順と、
前記書籍データを記憶する記憶部から該書籍データの１ページ分を前記画面領域に読み出し、前記部分領域から意味を持つ最小単位の語句を該部分領域毎に抽出する語句抽出手順と、
抽出されたそれぞれの前記語句の前記部分領域内における出現頻度に基づいて、該語句の重みを算出する語句重み算出手順と、
前記部分領域で抽出された前記語句の重みに基づいて、該部分領域の重要度を算出する重要度算出手順と、
最も高い重要度の前記部分領域を、前記１ページを表示する表示領域に決定する表示領域決定手順と、
前記表示領域の書籍データを表示する表示手順と
を備えることを特徴とする電子書籍表示方法。
【請求項７】
コンピュータに、
書籍データを表示する画面領域を、予め定めた所定数の部分領域に分割する画面領域分割手順と、
前記書籍データを記憶する記憶部から該書籍データの１ページ分を前記画面領域に読み出し、前記部分領域から意味を持つ最小単位の語句を該部分領域毎に抽出する語句抽出手順と、
抽出されたそれぞれの前記語句の前記部分領域内における出現頻度に基づいて、該語句の重みを算出する語句重み算出手順と、
前記部分領域で抽出された前記語句の重みに基づいて、該部分領域の重要度を算出する重要度算出手順と、
最も高い重要度の前記部分領域を、前記１ページを表示する表示領域に決定する表示領域決定手順と、
前記表示領域の書籍データを表示する表示手順と
を実行させることを特徴とする電子書籍表示プログラム。
【発明の詳細な説明】
【技術分野】
【０００１】
本発明は、電子書籍装置のページ送りに関するものである。
【背景技術】
【０００２】
小説や雑誌、コミックなどを電子書籍で閲覧することが急速に普及しつつある。これは電子書籍が従来の専用端末である電子書籍装置に加えて、携帯電話や携帯情報端末でも電子書籍の閲覧が可能となったことによるものと思われる。
【０００３】
ところで、電子書籍装置の特徴の一つは、表示部に電子ペーパーを用いていることである。電子ペーパーは、表示にメモリ性があるため表示中の電力消費は不要であり、表示の書き換え時のみ僅かの電力を消費すること、バックライトを不要とした反射型であること、などから長時間のバッテリー駆動を可能とする点が大きな特徴である。また、反射光を利用した表示のため、視野角が広く紙に近い高い視認性を備えていることも特徴の一つである。初期の電子書籍装置では、主にモノクロ表示で文字中心の小説などの閲覧に用いられているが、近時では電子ペーパーのカラー化が進み雑誌等へ応用が広がっている。
【０００４】
しかしながら、電子ペーパーは画面の表示書き換え（以降、単に「書き換え」ともいう）の速度が遅く、電子書籍装置において紙を用いた印刷物のように連続的なページ送り（パラパラめくり）が出来ないことがある。電子書籍の中でも雑誌は雑多な記事の集合で構成されていることが多く、興味のある記事を探すためにパラパラめくりを行いながら大雑把にページ内容を把握することが多いが、このような場合に電子書籍装置は不利を免れない。一例として、紙の雑誌では０．５秒/ページの速度でページを送れるのに対し、電子書籍装置では５秒/ページを要し、約１０倍の時間が掛かってしまう（図１３参照）。
【０００５】
パラパラめくりのページ送りを高速に行なう方法として、各ページの一部分だけを書き換え表示することが知られている。１ページ全てを表示する訳ではないのでページ送りの速度を上げることができる。
【０００６】
また、縮小した電子書籍のデータを元のデータと別に用意しておき、パラパラめくりの場合に縮小したデータを表示することも知られている。
【０００７】
また、電子書籍のデータに高速再生用の識別子を設定しておき、高速再生（パラパラめくり）が指示されたとき、識別子が付けられたデータのみを順次表示することも知られている。
【先行技術文献】
【特許文献】
【０００８】
【特許文献１】特開平０６−８６２２２号公報
【特許文献２】特開平０４−１２０６７０号公報
【特許文献３】特開２００４−３３４８５４号公報
【発明の概要】
【発明が解決しようとする課題】
【０００９】
上記したように、電子書籍装置では電子ペーパーの表示書き換えに時間が掛かるため、紙の印刷物で一般的に行なわれているような速度でページ送りを行なうパラパラめくりができない、という問題がある。
【００１０】
従来技術であるページの一部分だけを書き換える方法は、画面内の書換える場所が画面の右端や左端など表示する場所が固定されてしまうことになり、雑誌にこの従来技術を適用した場合に不都合が生ずる。図１４は、１ページの約１／４に当たる右側部分だけを書き換えて表示する場合を、漫画と雑誌に対して従来技術を適用した例を示すもので、図１４（ａ）に示す漫画の例では大凡の内容把握を行いながらページ送りができる。即ち、漫画の場合は、ページ全体が画像であり、1ページ内の一部だけを表示しても内容を把握するための情報が得られる。しかし、図１４（ｂ）に示す雑誌の場合は、雑誌が見出しや文章、図表、写真、広告、余白などから構成され、一部分を表示する個所が余白や広告などに当たってしまうことがあり、ページ内容を把握するために必要な情報が表示されない、という問題がある。このような場合、雑誌では目的とするページを見つけることができない場合が生ずる可能性がある。
【００１１】
また、縮小データを表示する方法は、元のデータとは別に縮小データを予め記憶させておく必要があり、メモリ領域を圧迫する、という問題がある。
【００１２】
また、電子書籍のデータに高速再生用の識別子を設定する方法は、既存の電子書籍データにそれらを適用できない、と言う問題がある。
【００１３】
本発明は、上記の問題を解決するためになされたもので、紙の印刷物で行なえるパラパラめくりと同等な高速なページ送りを可能とする電子書籍装置を提供することを目的とする。
【課題を解決するための手段】
【００１４】
発明の一観点によれば、本発明の電子書籍装置は、書籍データを記憶する記憶部と、書籍データを表示する画面領域を予め定めた所定数の部分領域に分割する画面領域分割手段と、記憶部から書籍データの１ページ分を画面領域に読み出し、部分領域から意味を持つ最小単位の語句を部分領域毎に抽出する語句抽出手段と、抽出されたそれぞれの語句の部分領域内における出現頻度に基づいて語句の重みを算出する語句重み算出手段と、部分領域で抽出された語句の重みに基づいて部分領域の重要度を算出する重要度算出手段と、最も高い重要度の部分領域を、１ページを表示する表示領域に決定する表示領域決定手段と、表示領域の書籍データを表示する表示手段とを備える電子書籍装置が提供される。
【００１５】
発明の別の一観点によれば、本発明の電子書籍表示方法は、コンピュータが、書籍データを表示する画面領域を予め定めた所定数の部分領域に分割する画面領域分割手順と、書籍データを記憶する記憶部から書籍データの１ページ分を画面領域に読み出し、部分領域から意味を持つ最小単位の語句を部分領域毎に抽出する語句抽出手順と、抽出されたそれぞれの語句の部分領域内における出現頻度に基づいて語句の重みを算出する語句重み算出手順と、記部分領域で抽出された語句の重みに基づいて部分領域の重要度を算出する重要度算出手順と、最も高い重要度の部分領域を、１ページを表示する表示領域に決定する表示領域決定手順と、を実行する電子書籍表示方法が提供される。
【００１６】
また、発明の別の一観点によれば、本発明の電子書籍表示プログラムは、コンピュータに、書籍データを表示する画面領域を予め定めた所定数の部分領域に分割する画面領域分割手順と、書籍データを記憶する記憶部から書籍データの１ページ分を画面領域に読み出し、部分領域から意味を持つ最小単位の語句を部分領域毎に抽出する語句抽出手順と、抽出されたそれぞれの語句の部分領域内における出現頻度に基づいて語句の重みを算出する語句重み算出手順と、部分領域で抽出された語句の重みに基づいて部分領域の重要度を算出する重要度算出手順と、最も高い重要度の部分領域を、１ページを表示する表示領域に決定する表示領域決定手順と、表示領域の書籍データを表示する表示手順と、を実行させる電子書籍表示プログラムが提供される。
【発明の効果】
【００１７】
画面領域を分割して重要度の高い部分領域のみを表示するようにしたので、意味のある部分のみを表示しながら高速にページ送りを行なうことができる。
【図面の簡単な説明】
【００１８】
【図１】ハードウェア構成例と外観例である。
【図２】機能構成と記憶部の構成例である。
【図３】語句抽出データ記憶領域のデータ例である。
【図４】ベクトルデータ記憶領域のデータ例である。
【図５】画像メモリ領域の分割例である。
【図６】表示幅テーブルのデータ例である。
【図７】表示領域テーブルのデータ例である。
【図８】重み調整値テーブルのデータ例である。
【図９】部分領域の重要度算出処理フロー例である。
【図１０】ページ送りの表示処理フロー例である。
【図１１】ページ送りにおける複数ページ表示例である
【図１２】ページ送りにおける抽出語句の表示例である。
【図１３】従来の印刷物と電子書籍装置によるページ送り例である。
【図１４】漫画と雑誌のページ送り表示例である。
【発明を実施するための形態】
【００１９】
本発明の電子書籍装置の実施例を図１から図１２を用いて説明する。なお、実施例での電子書籍装置は、書籍データの形態として画像データを用いている。
【００２０】
図１は、本発明の電子書籍装置１０のハードウェア構成例と外観例を示している。図１（ａ）に示すハードウェアは、電子書籍装置１０の全体を制御するＣＰＵ２０、電子書籍表示プログラム、電子書籍データ等を記憶する記憶装置３０、プログラムの実行や作業領域、書籍データを一時的に記憶するメモリ４０、電子書籍で閲覧するデータの指示やページ送り速度の指示を受けるためのボタン等からなる入力装置５０、および電子書籍データを表示する電子ペーパー等からなる出力装置６０から構成する。なお、メモリ４０の一部は電子ペーパーに表示する画像メモリとしても用いられる。また、ＣＰＵ２０から各装置への指令としての制御情報やその指令に基づいてデータの受け渡しはバス７０を介して行なわれる。
【００２１】
図１（ｂ）は、電子書籍装置１０の外観例を示し、書籍データを表示する電子ペーパー６１、利用者が左送りと右送りのページ送り速度を指示するページ送り速度指示ボタン５１、５２、ページ送りの開始と停止を指示するページ送り開始停止ボタン５３とを示している。ページ送り速度指示ボタン５１、５２は、例えば所定時間内に１回押下することで低速ページ送りを、２回で中速ページ送りを、３回で高速ページ送りを指示できる。また、ページ送り開始停止ボタン５３は、最初の押下でページ送りの開始を、再び押下することで停止を指示できる。
【００２２】
次に、電子書籍装置１０の電子書籍表示プログラム１００の機能構成例と記憶装置３０の構成例について図２を用いて説明する。
【００２３】
電子書籍表示プログラム１００はページ送り速度検知部１１０、ページ送り開始停止検知部１２０、ページ送り制御部１３０、画面領域分割部１４０、部分領域重要度算出部１５０、表示領域決定部１６０および表示部１７０を有する。これらの機能の概要について説明する。
【００２４】
ページ送り速度検知部１１０は、ページ送り速度指示ボタン５１、５２が利用者によって操作されたことを検知する機能である。この検知により、表示する部分領域の個数が選択される。例えば、高速ページ送りの場合は１つの部分領域が選択され、その領域のみを表示することでページ送りを速くできる。
【００２５】
ページ送り開始停止検知部１２０は、ページ送り開始停止ボタン５３が利用者によって操作されたことを検知する機能である。この検知により、ページ送りの開始と停止を制御する。
【００２６】
ページ送り制御部１３０は、書籍データのページを管理し、例えば利用者によってページ送り開始の入力がなされたときの現在ページを後述する表示部１７０に通知したり、ページ送りのときページカウントを行ないそのページを通知したりする。
【００２７】
画面領域分割部１４０は、電子ペーパーの１画面分の表示する画像メモリの領域を予め定められた設定値に基づいて分割し、複数の部分領域を生成する。
【００２８】
部分領域重要度算出部１５０は、部分領域に読み込まれた書籍データから語句を抽出し、語句の重みを算出して部分領域の重要度を求める。
【００２９】
表示領域決定部１６０は、利用者によって指定されたページ送り速度と部分領域の重度度とに基づいて、ページ送りするときの表示領域を決定する。表示領域は１つ以上の部分領域からなる。
【００３０】
表示部１７０は、表示領域決定部１６０で決定された表示領域の書籍データを現在ページの次のページからページ送りの停止の指示を検知するまで表示する。
【００３１】
続いて、記憶装置３０の構成を説明する。記憶装置３０は、書籍データ記憶領域３１、抽出語句データ記憶領域３２、ベクトルデータ記憶領域３３、分割情報記憶領域３４、表示幅テーブル記憶領域３５、表示領域テーブル記憶領域３６および重み調整値テーブル記憶領域３７を有する。これらのデータやテーブルについて概要を説明する。
【００３２】
書籍データ記憶領域３１は、書籍データを記憶する領域で、前述のように書籍のコンテンツを構成する文字や図、写真のデータは全て画像データの形式（例えば、ＪＰＥＧ）になっている。なお、本実施例では画像データの形式を用いているが、特に画像データに限定するものではない。
【００３３】
抽出語句データ記憶領域３２は、書籍データの各ページにおける部分領域から抽出した語句を記憶する領域で、図３にデータ例を示す。図３では、１ページをＡ、Ｂ、Ｃの３つの部分領域に分割し、それぞれの部分領域で抽出された順に語句を示している。例えば、図３の１行目のデータは１ページ目のＡ部分領域で抽出された語句で、Ｔ１〜Ｔ４、・・・が抽出された語句である。語句の抽出は、書籍データが画像データであるので文字認識を行なうＯＣＲ（Optical Character Recognition）ソフトを用いて画像データをテキストデータに変換し、このテキストデータの中から文章の解析に広く用いられる形態素解析によって最小単位の意味を持つ語句（即ち、形態素）として抽出する。
【００３４】
ベクトルデータ記憶領域３３は、部分領域で抽出された語句に対して算出された重みを記憶する領域である。図４は部分領域で抽出された語句に対する重みの値を示した例である。重みの算出方法としては、ＴＦ・ＩＤＦ（Term Frequency Inverse Document Frequency）を利用する。
【００３５】
ＴＦ・ＩＤＦは、次式で示される。
【００３６】
【数１】
2012042528.tif 000003
【００３７】
ここで、左辺は求める重み値、右辺の第１項はＴＦであり、第２項はＩＤＦである。具体的には、ＴＦi,jはｊの部分領域でｉの語句が出現した回数を表し、値が大きいほど重要な語句であることを示す。また、ＩＤＦiはｉの語句が書籍データの全ページの中で出現したページ数の逆数を表し、値が大きいほど重要な語句であることを示す。つまり、ＴＦ・ＩＤＦ値が大きいほど、重要な語句であることを示す。ここで言う重要度は、利用者にとってページの内容を把握するのにふさわしい情報を得られる度合いである。
【００３８】
ベクトルデータ記憶領域３３は、各語句の重みの値を加算して求めた各部分領域の重要度も記憶される。図４では、４つの語句の重みを加算した重要度を示しているが、実際には抽出した全ての語句について、それらの重みの加算を行う。図４の１ページ目の例では、Ａの部分領域の重要度は１．９１、Ｂは１．０３、Ｃは１．１４であるので、Ａの部分領域が最も重要な領域であり、ついで重要な領域はＣの部分領域である。
【００３９】
分割情報記憶領域３４は、画像メモリの領域を分割する情報を記憶する領域である。図５は画像メモリ領域を画面の縦方向に３分割する例を示している。分割された領域が部分領域で、図５では部分領域Ａ〜Ｃを示している。分割情報記憶領域３４には、例えば縦分割か横分割の情報と部分領域の幅の情報を記憶する。
【００４０】
表示幅テーブル記憶領域３５は、ページ送り速度に対する表示画面の表示幅の情報を記憶する。図６は、表示幅テーブル記憶領域３５のデータ例を示し、ページ送り速度が「高速」と「中速」、および「低速」の３種類の速度に対する画面の表示幅を示している。例えば、ページ送りが高速の場合では画面の１／３の表示幅で表示、中速の場合は画面の２／３の表示幅で表示する。中速の場合の２／３画面の表示は、図５に示すＡ＋Ｂ、もしくはＢ＋Ｃの部分領域が表示領域となる（部分領域は互い隣接している）。さらに、表示するページが例えば図４の２ページ目であった場合は、Ａ＋Ｂ領域の重要度の合計（１．８０）と、Ｂ＋Ｃ領域の重要度の合計（１．４０）を求め、合計値が大きい領域（Ａ＋Ｂ）を表示領域とする。また、低速の場合は全面（画面の３／３）を表示する。
【００４１】
表示領域テーブル記憶領域３６は、ページ送り速度による表示幅と重要度に基づいて決定された部分領域を表示領域の情報として記憶する領域である。図７はそのデータ例を示し、ここでは１ページ目はＡの部分領域が表示領域で、２ページ目はＣの部分領域、３ページ目はＢの部分領域であることを示している。この場合、表示領域がＡ〜Ｃの内の１つの部分領域で示されていることから、ページ送り速度は「高速」が利用者によって指示されていることになる。
【００４２】
重み調整値テーブル記憶領域３７は、語句の文字サイズに対する重みの調整値を記憶する。ＯＣＲによる文字認識により画像データからテキストデータに置き換えるとき、テキストのサイズを推定できる。従って、抽出した語句の文字サイズが分かるので、図８に示すように文字サイズに対する重みの調整値を予め定めておき、図４に示すベクトルデータを求めるとき重みの値にこの重み調整値を掛けた値とする。語句の重みを調整することで、例えば雑誌作成者の意図を踏まえた表示領域の決定が可能となる。一般に雑誌の記事では、見出しなどの重要な文書部分については文字サイズを大きく、逆に注釈などの重要度が低い部分については文字サイズが小さく記述されている。そこで、図８に示すように、見出しなどの大きな文字では語句の重みを１．２倍に、本文記事などの中サイズでは１．０倍に、注釈などの小サイズでは０．８倍にしている。
【００４３】
次に、電子書籍表示プログラム１００の処理フローについて説明する。本実施例では、利用者から閲覧指定された書籍データの最初のページを表示する段階で、各ページの部分領域の重要度を求める処理と、利用者からページ送りの指示がなされたときに、部分領域の重要度に基づいて表示領域を求め、ページ送りの表示を行なう処理とに分けて説明する。なお、以下に示す処理フローでは処理をシンプルに説明するため、文字サイズによる重みの調整は行なっていない。
【００４４】
図９は、部分領域の重要度算出を行う処理フローを示す。まず、語句抽出ルーチンに入り、書籍データの１ページ目のデータを画像メモリ領域に読込み、ＯＣＲソフトにより文字認識しテキストデータに変換する（Ｓ１０、以降ステップ１０をＳ１０と記す）。
【００４５】
分割情報記憶領域３４を参照して画像メモリ領域を分割して部分領域を生成し、部分領域毎のテキストデータに対し形態素解析により語句を抽出する。抽出した語句を抽出語句データ記憶領域３２に記憶する。なお、ここでは分割情報記憶領域３４を参照して画像メモリ領域を図５に示すように縦方向に３分割するものとする（Ｓ１１）。
【００４６】
Ｓ１０とＳ１１の処理を書籍データの全ページについて行なう。この状態が、前述した図３のデータ例である。語句の抽出が終了したら重要度算出ルーチンに入る。
【００４７】
重要度算出ルーチンでは、各ページの部分領域毎に抽出された語句に対して、部分領域における出現頻度と書籍データの全ページに対して出現するページ数を求め、語句の重みをＴＦ・ＩＤＦにより求める。求めた重みはベクトルデータ記憶領域３３に記憶する（Ｓ１２）。
【００４８】
算出された語句に対する重みを部分領域毎に合計し、求めた合計値を部分領域の重要度としてベクトルデータ記憶領域３３に記憶する（Ｓ１３）。
【００４９】
Ｓ１２とＳ１３の処理を、書籍データの全ページについて行ない、この処理は終了となる。なお、この状態（重要度を算出した状態）が、前述した図４のデータ例である。
【００５０】
次に、ページ送りの表示を行なう処理フローを、図１０を用いて説明する。図１０において、ページ送り速度検知部１１０が検知したページ送り速度の情報を受け付け、表示幅テーブル記憶領域３５を参照して各ページの表示領域を求める。例えば、ページ送りが「高速」であった場合、最も重要度の高い部分領域を表示領域とする。中速の場合は、Ａ＋Ｂの部分領域の重要度の合計値とＢ＋Ｃの部分領域の重要度の合計値とを比較して、合計値の大きい方の２つの部分領域を表示領域とする。低速の場合は、Ａ〜Ｃの３つの部分領域を表示領域とする。これらの情報は表示領域テーブル記憶領域３６に記憶する（Ｓ２０、Ｓ２１）。
【００５１】
続いて、ページ送り開始停止検知部１２０が検知したページ送り開始の指示情報を受け付けると、ページ送り制御部１３０から現在ページの情報を取得する（Ｓ２２、Ｓ２３）。
【００５２】
取得した現在ページがｎページであるとすると、次ページであるｎ＝ｎ＋１を求め、表示領域テーブルのｎページの表示領域を表示する。即ち、ｎページの表示領域がＡの部分領域であった場合、部分領域Ａの書籍データを電子ペーパーに表示する。この処理をページ送り開始停止検知部１２０が停止の操作を検知するまで続ける（Ｓ２４〜Ｓ２６）。
【００５３】
ページ送り開始停止検知部１２０が停止を検知したことを受けて、その時点のページ送りの最終ページを全面表示する（Ｓ２７）。
【００５４】
図９と図１０に示す処理フローにより、書籍データのページ送りを利用者の指示に基づいた速度で送ることができる。
【００５５】
上記の実施例では、書籍データの１ページ毎の部分領域を表示するものであったが、高速のページ送りの場合、例えば３ページ分の表示領域をまとめて表示するようにしてもよい。図１１はそのような例を示し、ページ１の部分にｎページの最も高い重要度の部分領域を、ページ２に（ｎ＋１）ページの最も高い重要度の部分領域を、ページ３に（ｎ＋２）ページの最も高い重要度の部分領域を同時に表示するようにしている。雑誌のパラパラめくりで内容を大まかに確認しながら斜め読みを行う際は、前後のページを比較しながら内容把握を行うことが多いので、このように表示することでページの内容把握を効率的に行うことができる。
【００５６】
また、部分領域の書籍データを表示するのではなく、抽出した語句を表示するようにしてもよい。図１２は、部分領域Ａの重みの大きい語句順に所定数を並べて表示した例である。このように表示することで対象ページの情報を端的に効果的に把握することが可能となる。また、ページ送り速度をあげることもできる。
【００５７】
上記した実施例はこれに限定されるものではなく、本発明の要旨を逸脱しない範囲において種々なる態様で実施し得るものである。
（付記１）
書籍データを記憶する記憶部と、
前記書籍データを表示する画面領域を、予め定めた所定数の部分領域に分割する画面領域分割手段と、
前記記憶部から書籍データの１ページ分を前記画面領域に読み出し、前記部分領域から意味を持つ最小単位の語句を該部分領域毎に抽出する語句抽出手段と、
抽出されたそれぞれの前記語句の前記部分領域内における出現頻度に基づいて、該語句の重みを算出する語句重み算出手段と、
前記部分領域で抽出された前記語句の重みに基づいて、該部分領域の重要度を算出する重要度算出手段と、
最も高い重要度の前記部分領域を、前記１ページを表示する表示領域に決定する表示領域決定手段と、
前記表示領域の書籍データを表示する表示手段と
を備えることを特徴とする電子書籍装置。
（付記２）
前記電子書籍装置は、さらに
入力されたページ送り速度を受け付けるページ送り速度受付手段と、
前記表示領域決定手段は、前記ページ送り速度と前記重要度とに基づいて、一つ以上の前記部分領域を前記表示領域に決定する
ことを特徴とする付記１に記載の電子書籍装置。
（付記３）
前記表示領域決定手段において、複数の前記部分領域を表示領域にする場合に、該複数の部分領域は互いに隣接している
ことを特徴とする付記２に記載の電子書籍装置。
（付記４）
前記語句抽出手段は、語句の抽出において該語句の文字サイズを予測し、
重要度算出手段は、前記語句の出現頻度と前記文字サイズとに基づいて重要度を算出する
ことを特徴とする付記１乃至付記３に記載の電子書籍装置。
（付記５）
前記表示手段は、前記表示領域の重みの大きい語句から所定数の該語句を取り出し、該重みの大きい語句の順に並べて表示する
ことを特徴とする付記１乃至付記４に記載の電子書籍装置。
（付記６）
前記表示手段は、複数ページの前記表示領域に配置される書籍データを同時に表示する
ことを特徴とする付記１乃至付記５に記載の電子書籍装置。
（付記７）
記表示領域決定手段は、前記ページ送り速度が最も遅い送り速度であったとき、全ての前記部分領域を前記表示領域に決定する
ことを特徴とする付記１乃至付記５に記載の電子書籍装置。
（付記８）
前記表示手段は、前記表示領域の重みの大きい語句から所定数の該語句を、該語句が該表示領域に配置される位置で表示する
ことを特徴とする付記１乃至付記４に記載の電子書籍装置。
（付記９）
コンピュータが、
書籍データを表示する画面領域を、予め定めた所定数の部分領域に分割する画面領域分割手順と、
前記書籍データを記憶する記憶部から該書籍データの１ページ分を前記画面領域に読み出し、前記部分領域から意味を持つ最小単位の語句を該部分領域毎に抽出する語句抽出手順と、
抽出されたそれぞれの前記語句の前記部分領域内における出現頻度に基づいて、該語句の重みを算出する語句重み算出手順と、
前記部分領域で抽出された前記語句の重みに基づいて、該部分領域の重要度を算出する重要度算出手順と、
最も高い重要度の前記部分領域を、前記１ページを表示する表示領域に決定する表示領域決定手順と、
前記表示領域の書籍データを表示する表示手順と
を備えることを特徴とする電子書籍表示方法。
（付記１０）
コンピュータに、
書籍データを表示する画面領域を、予め定めた所定数の部分領域に分割する画面領域分割手順と、
前記書籍データを記憶する記憶部から該書籍データの１ページ分を前記画面領域に読み出し、前記部分領域から意味を持つ最小単位の語句を該部分領域毎に抽出する語句抽出手順と、
抽出されたそれぞれの前記語句の前記部分領域内における出現頻度に基づいて、該語句の重みを算出する語句重み算出手順と、
前記部分領域で抽出された前記語句の重みに基づいて、該部分領域の重要度を算出する重要度算出手順と、
最も高い重要度の前記部分領域を、前記１ページを表示する表示領域に決定する表示領域決定手順と、
前記表示領域の書籍データを表示する表示手順と
を実行させることを特徴とする電子書籍表示プログラム。
【符号の説明】
【００５８】
１０    電子書籍装置
２０    ＣＰＵ
３０    記憶装置
３１    書籍データ記憶領域
３２    抽出語句データ記憶領域
３３    ベクトルデータ記憶領域
３４    分割情報記憶領域
３５    表示幅テーブル記憶領域
３６    表示領域テーブル記憶領域
３７    重み調整値テーブル記憶領域
４０    メモリ
５０    入力装置
５１    ページ送り速度指示ボタン（左送り）
５２    ページ送り速度指示ボタン（右送り）
５３    ページ送り開始停止ボタン
６０    出力装置
６１    電子ペーパー
７０    バス
１００  電子書籍表示プログラム
１１０  ページ送り速度検知部
１２０  ページ送り開始停止検知部
１３０  ページ送り制御部
１４０  画面領域分割部
１５０  部分領域重要度算出部
１６０  表示領域決定部
１７０  表示部
【図１】
2012042528.tif 000004
【図２】
2012042528.tif 000005
【図３】
2012042528.tif 000006
【図４】
2012042528.tif 000007
【図５】
2012042528.tif 000008
【図６】
2012042528.tif 000009
【図７】
2012042528.tif 000010
【図８】
2012042528.tif 000011
【図９】
2012042528.tif 000012
【図１０】
2012042528.tif 000013
【図１１】
2012042528.tif 000014
【図１２】
2012042528.tif 000015
【図１３】
2012042528.tif 000016
【図１４】
2012042528.tif 000017